(57)【特許請求の範囲】
【請求項１】
側面に上下方向に開口する上下方向のスライド溝が形成された、上方に保持された電気機器に電力を供給して充電する充電器本体と、充電器本体のスライド溝に上下方向にスライド自在に取り付けられるスライド部及び充電器本体の上方に配置される枠部を有する保持枠と、壁面に取り付けられると共に充電器本体のスライド溝に合致するスライドレールが設けられた取付板とを具備して成ることを特徴とする充電器。
【請求項２】
取付板のスライドレールが充電器本体のスライド溝内に圧入されることにより取付板に対して充電器本体が保持されることを特徴とする請求項１に記載の充電器。
【請求項３】
充電器本体の底部に充電器本体の側面よりも外方に突出した突出状態と充電器本体の内側に収容された収容状態の間で突出・収容自在に形成された支持板を設けると共に、保持枠を下方にスライド移動させた状態でスライド部の下端が収容状態にある支持板の側方に配置されるように形成して成ることを特徴とする請求項１又は２に記載の充電器。
【請求項４】
取付板に、充電器本体の下面を支持する下面支持部を形成して成ることを特徴とする請求項１乃至３のいずれかに記載の充電器。
【請求項５】
取付板のスライドレールを充電器本体のスライド溝に挿入した状態で嵌合する嵌合構造を取付板と充電器本体との間に形成して成ることを特徴とする請求項１乃至４のいずれかに記載の充電器。
【請求項６】
取付板のスライドレールを充電器本体のスライド溝に挿入した状態で嵌合する嵌合構造を取付板とスライド部との間に形成して成ることを特徴とする請求項１乃至４のいずれかに記載の充電器。
【請求項７】
保持枠が充電器本体に対して上方にスライド移動した状態において枠部を充電器本体上面に対して支持する枠部支持部を枠部に設けて成ることを特徴とする請求項１乃至６のいずれかに記載の充電器。
【請求項８】
保持枠が充電器本体に対して下方にスライド移動した状態において枠部支持部を保護する保護部を設けて成ることを特徴とする請求項７に記載の充電器。
【請求項９】
保持枠に対して鏡を回動自在に設けて成ることを特徴とする請求項１乃至８のいずれかに記載の充電器。
【請求項１０】
スライド部に鏡を上下スライド移動自在に設けて成ることを特徴とする請求項１乃至８のいずれかに記載の充電器。
【請求項１１】
保持枠の枠部に電気機器が挿通されることにより電気機器を支持する保持部を開口させて設けると共に、枠部に、保持部内に配置された状態と枠部に対して上方に配置されると共に鏡面が前方に配置される状態との間で回動自在に形成される鏡を設けて成ることを特徴とする請求項１乃至８のいずれかに記載の充電器。
【請求項１２】
充電器本体の上面に、電気機器の底部に形成された凹部に嵌合する凸部を形成して成ることを特徴とする請求項１乃至１１のいずれかに記載の充電器。
【発明の詳細な説明】
【０００１】
【発明の属する技術分野】
本発明は、電気機器に電力を供給して充電する充電器に関するものである。
【０００２】
【従来の技術】
電気かみそり、電器歯ブラシ、スポットクリーナー（吸引式肌クリーナー）等の電気機器の充電のための充電器として、従来から壁面に取り付けられた取付板に対して充電器本体を取り付けることにより、壁面に対して固定した状態で使用するタイプのものが用いられている。また、このような充電器としては、充電器本体の上方に電器機器を保持するための保持枠を充電器本体に対して上下方向にスライド自在に設け、保持枠を上方にスライドさせて充電器本体上方の電気機器を保持し、この状態で電気機器に対する充電を行い、更に保持枠を下方にスライドさせることで保持枠を充電器に対してコンパクトに収容して携帯や収容時の利便性を図ったものも提案されている。
【０００３】
【発明が解決しようとする課題】
しかし、従来の壁面に固定するタイプの充電器においては、充電器本体の表面に、充電器本体を取付板に対して固定するための取付構造が露出することとなる。すなわち、例えば充電器本体に形成されたスライド溝と固定板に形成されたスライドレールとを用いて充電器本体を取付板に対して固定する場合、充電器本体の表面にスライドレールが露出して、外観が悪化するものであった。
【０００４】
また、保持枠にて電気機器を保持している状態では、電気機器から保持枠に荷重がかかり、その結果、保持枠が下方にスライドして電気機器を安定して保持できなくなる場合があった。
【０００５】
本発明は上記の点に鑑みてなされたものであり、充電器の上方において電気機器を保持するための保持枠が上下スライド移動自在に設けられた、壁面固定型の充電器において、壁面に取り付けられた取付板に対して固定するための取付構造が充電器本体の表面に露出することがなく、しかも保持枠にて電気機器を保持している状態で保持枠が下方にスライドすることを防止して電気機器を安定して保持した状態で充電を行うことができる充電器を提供することを目的とするものである。
【０００６】
【課題を解決するための手段】
本発明の請求項１に係る充電器は、側面に上下方向に開口する上下方向のスライド溝７が形成された、上方に保持された電気機器５に電力を供給して充電する充電器本体２と、充電器本体２のスライド溝７に上下方向にスライド自在に取り付けられるスライド部１２及び充電器本体２の上方に配置される枠部１１を有する保持枠１と、壁面１００に取り付けられると共に充電器本体２のスライド溝７に合致するスライドレール６２が設けられた取付板６とを具備して成ることを特徴とするものである。
【０００７】
また請求項２の発明は、請求項１の構成に加えて、取付板６のスライドレール６２が充電器本体２のスライド溝７内に圧入されることにより取付板６に対して充電器本体２が保持されることを特徴とするものである。
【０００８】
また請求項３の発明は、請求項１又は２の構成に加えて、充電器本体２の底部に充電器本体２の側面よりも外方に突出した突出状態と充電器本体２の内側に収容された収容状態の間で突出・収容自在に形成された支持板４を設けると共に、保持枠１を下方にスライド移動させた状態でスライド部１２の下端が収容状態にある支持板４の側方に配置されるように形成して成ることを特徴とするものである。
【０００９】
また請求項４の発明は、請求項１乃至３のいずれかの構成に加えて、取付板６に、充電器本体２の下面を支持する下面支持部６６を形成して成ることを特徴とするものである。
【００１０】
また請求項５の発明は、請求項１乃至４のいずれかの構成に加えて、取付板６のスライドレール６２を充電器本体２のスライド溝７に挿入した状態で嵌合する嵌合構造を取付板６と充電器本体２との間に形成して成ることを特徴とするものである。
【００１１】
また請求項６の発明は、請求項１乃至５のいずれかの構成に加えて、取付板６のスライドレール６２を充電器本体２のスライド溝７に挿入した状態で嵌合する嵌合構造を取付板６とスライド部１２との間に形成して成ることを特徴とするものである。
【００１２】
また請求項７の発明は、請求項１乃至６のいずれかの構成に加えて、保持枠１が充電器本体２に対して上方にスライド移動した状態において枠部１１を充電器本体２上面に対して支持する枠部支持部１８を枠部１１に設けて成ることを特徴とするものである。
【００１３】
また請求項８の発明は、請求項７の構成に加えて、保持枠１が充電器本体２に対して下方にスライド移動した状態において枠部支持部１８を保護する保護部２７を設けて成ることを特徴とするものである。
【００１４】
また請求項９の発明は、請求項１乃至８のいずれかの構成に加えて、保持枠１に対して鏡１０１を回動自在に設けて成ることを特徴とするものである。
【００１５】
また請求項１０の発明は、請求項１乃至８のいずれかの構成に加えて、スライド部１２に鏡１０１を上下スライド移動自在に設けて成ることを特徴とするものである。
【００１６】
また請求項１１の構成は、請求項１乃至８のいずれかの構成に加えて、保持枠１の枠部１１に電気機器５が挿通されることにより電気機器５を支持する保持部１３を開口させて設けると共に、枠部１１に、保持部１３内に配置された状態と枠部１１に対して上方に配置されると共に鏡面１０５が前方に配置される状態との間で回動自在に形成される鏡１０１を設けて成ることを特徴とするものである。
【００１７】
また請求項１２の発明は、請求項１乃至１１のいずれかの構成に加えて、充電器本体２の上面に、電気機器５の底部に形成された凹部５１に嵌合する凸部２４を形成して成ることを特徴とするものである。
【００１８】
【発明の実施の形態】
以下、本発明の実施の形態を説明する。
【００１９】
図１〜４に示す実施形態では、充電器本体２は長方体状に形成されており、その内部には充電回路２３が内装され、またこの充電器本体２には充電回路２３に電力を供給するための電源コードが接続されている。ここで充電回路２３は、電源コード８から供給された電力を利用して、コイル間の電磁誘導を利用した非接触式の充電方式や端子同士の接触による接触式の充電方式等によって充電器本体２の上方に配置された電気機器５に対して電力を供給することにより電気機器５の充電を行うための回路にて構成されている。
【００２０】
充電器本体２の底部に配設される底板３の底面には、略中央部に下方に突出する回動ピン３１が設けられており、また長手方向の両側には内側面が外方に突出する円弧状に形成された支持凸部３２がそれぞれ設けられ、この支持凸部３２に挟まれた領域にて、下方及び短手方向の両側方に向けて開口する配置凹所３３が形成されている。
【００２１】
この底板３は充電器本体２の側周面を構成する周壁の内側に配設される。ここで充電器本体２の周壁には、短手方向の両側部の下端部に、下方及び短手方向の両側方に開口する凹部２４が形成されている。この凹部２４は底板３の配置凹所３３と連通するように形成されており、この配置凹所３３と凹部２４によって、充電器本体２の底部に、下方及び短手方向の両側方に開口すると共に支持板４が収容される支持板収容部が構成されている。また充電器本体２の周壁のうち、長手方向の両端部の下端部は、底板３の支持凸部３２と略面一な支持壁部２５として形成されており、この支持壁部２５と支持凸部３２とで、充電器本体２の底面の長手方向の両側部に、充電器本体２の荷重を支える荷重支持部が構成されている。
【００２２】
充電器本体２の底部には、底面側に支持板４が取り付けられる。支持板４は配置凹所３３及び凹部２４からなる支持板収容部の形状に合致する形状に形成されており、支持板４の短手方向の寸法が底板３の短手方向の寸法と略同一に形成され、支持板４の長手方向の幅は支持凸部３２の内側面間の幅よりもやや小さく形成され、支持板４の長手方向の両端面は支持凸部３２の内側面の形状と略同一の、外方に突出する円弧状に形成されている。また支持板４の略中央部には上下に貫通する回動孔４１が形成されており、この回動孔４１に底板３の回動ピン３１を挿入することにより、支持板４が底板３に対して、回動ピン３１を通る鉛直軸を中心に水平方向に回動自在に取り付けられている。
【００２３】
また、充電器本体２には、長手方向と平行な側面の両側部に、内側方に向けて開口するスライド溝７が形成されており、このスライド溝７間に挟まれた領域には、上方、下方及び短手方向の外方に向けて開口する収容凹部２１が形成されている。
【００２４】
また、保持枠１は、枠部１１とスライド部１２にて構成されている。
【００２５】
枠部１１は、平面視における形状及び寸法が充電器本体２と略同一であり、上下に貫通する略矩形状の貫通孔にて保持部１３が形成されている。
【００２６】
枠部１１の短手方向の一端部には、下方に向けてスライド部１２が一体に設けられている。スライド部１２は、収容凹所２１に合致する形状を有する基部１４と、基部１４の両側部から外側方に向けて突出すると共にスライド溝７に合致する形状を有するスライドレール１５にて構成されている。スライド部１２は充電器本体２の、スライド溝７が形成されている側の側面に沿って配置すると共にスライドレール１５をスライド溝７内にスライド自在に配置することにより、充電器本体２の側面に上下方向にスライド自在に取り付けられる。
【００２７】
このように形成される充電器では、保持枠１は充電器本体２に対して、基部１４が収容凹所２１内に配置されると共に枠部１１が充電器本体２の上面に密接して配置された収容状態と、基部１４の上部が収容凹所２１の上部開口よりも上方に突出して充電器本体２の上面よりも上方に突出すると共に枠部１１が充電器本体２の上面よりも上方に離間して配置された突出状態との間でスライド移動自在に取り付けられている。また、支持板４は充電器本体２に対して、その長手方向の両端部が凹部２４の開口から充電器本体２の短手方向の外側方に向けて突出した突出状態と、支持板４全体が配置凹所３３と凹部２４からなる支持板収容部内に配置されて充電器本体２の内側に配置された収容状態との間で回動自在に取り付けられている。
【００２８】
ここで、図４に示すように、保持枠１のスライド部１２は、収容状態においてその下端が充電器本体２の下端面と略面一となって凹部２５の、充電器本体２の短手方向の外側方の開口を閉塞するように形成されており、これにより、配置凹所３３と凹部２４によって構成される支持板収容部の、充電器本体２の短手方向に開口する一方の開口が閉塞されてる。このため、保持枠１と支持板４とを共に収容状態としているときには、支持板４の回動が保持枠１のスライド部２の下端部によって阻止されることとなり、支持板４が不用意に充電器本体２の外側方に突出して突出状態となることが防止されている。
【００２９】
また、取付板６は、平板状の基部６１と、基部６１の両側端面から外側方に向けて突出した上下方向のスライドレール６１とから構成されている。
【００３０】
基部６１の上下方向の寸法は配置凹所２１の上下寸法よりも小さくなるように形成されており、前後方向の厚みは配置凹所２１の充電器本体２の短手方向の深さ寸法と略同一に形成されている。また基部６１の前面には前方及び上下方向に開口した凹部６５が形成されており、この凹部６５において、固着具６４を挿通するための一対の固着孔６３が水平方向に並んで形成されている。またスライドレール６１は基部６１の両側端面の前面側に形成されており、充電器本体２のスライド溝７に合致する形状に形成されている。この取付板６は、木ねじ等の固着具６４を挿通すると共にこの固着具６４を壁面１００に固着して、壁面１００に固定される。
【００３１】
このようにして構成される充電器は、図３に示すように保持枠１と支持板４とを共に突出状態とし、電気機器５を保持部１３内に挿通すると共に電気機器５の底部を充電器本体２の上面に載置することで、電気機器５の底部を充電器本体２の上面で支持すると共に電気機器５の側面を保持枠１の保持部１３で支持し、電気機器５を安定して保持することができ、この状態で充電器を作動させて電気機器５を充電することができる。ここで、配置凹所２１のスライド溝７の寸法に対する保持枠１のスライドレール１５の寸法をやや大きく形成しておき、スライド溝７に対してスライドレール１５を圧入するようにすると、突出状態となった保持枠１は、スライド溝７の内面とスライドレール１５との外面との間の摩擦力によりその突出状態が安定して維持され、電気機器５の側面が保持枠１の保持部１３にて安定に支持される。またこのとき充電器に電気機器５が保持されて充電器と電気機器５を合わせた全体の重心が高くなっているものであるが、充電器の底部にかかる長手方向の荷重が支持凸部３２と支持壁部２５とからなる荷重支持部によって支持されると共に、充電器の底部にかかる短手方向の荷重が支持板４によって支持され、充電器が安定して配置される。
【００３２】
また保持枠１と支持板４とを共に収容状態とすると、保持枠１と支持板４が充電器本体２から突出することなくコンパクトに配置され、充電器全体の嵩が小さくなって、携帯や収容が容易なものとなる。このとき、配置凹所２１とスライド溝７の全領域に保持枠１のスライド部１２とスライドレール１５とがそれぞれ配置されて、配置凹所２１とスライド溝７とが隠蔽され、外観が良好なものである。
【００３３】
また、充電器本体２を取付板６に取り付けるにあたっては、図２に示すように、まず保持枠１と支持板４とを共に収容状態とした充電器本体２を、スライド部１４の下端が取付板６の上方に位置するように配置する。この状態で充電器本体２を取付板６に向けて下降させて、取付板６の基部６１を配置凹所２１内に下方の開口から挿入すると共に、取付板６のスライドレール６２をスライド溝７内に下方の開口から挿入する。このようにして、取付板６が配置凹所２１の下部に配置されるまで充電器本体２を下降させ、取付板６に対して充電器本体２を取り付ける。このとき取付動作において、取付板６は充電器本体２に対して上方にスライド移動しながら、その上端によってスライド部１２の下端を上方に押圧し、保持枠１が充電器本体２に対して上方にスライド移動して突出状態となる。
【００３４】
このようにして充電器本体２が取付板６に取り付けられるものであり、取付板６が壁面１００に取り付けられているときは、充電器本体２が壁面１００に取り付けられる。このとき、配置凹所２１のスライド溝７の寸法に対する取付板６のスライドレール６２の寸法をやや大きく形成しておき、スライド溝７に対してスライドレール６２を圧入するようにすると、スライドレール６２の外面とスライド溝７の内面との間の摩擦力により、取付板６に対して充電器本体２が安定して保持される。このとき、突出状態となった保持枠１は、スライド部１２の下端が取付板６の上端によって支えられて、下方へのスライド移動が阻止され、突出状態が維持されている。
【００３５】
以上のようにして壁面１００に取り付けられた充電器を用い、電気機器５を保持部１３内に挿通すると共に電気機器５の底部を充電器本体２の上面に載置することで、電気機器５の底部を充電器本体２の上面で支持すると共に電気機器５の側面を保持枠１の保持部１３で支持して、電気機器５の充電を行うことができる。このとき取付板６によって充電器本体２は壁面１００に対して安定して取り付けられていると共に保持枠１の突出状態が安定して維持されており、電気機器５から枠部１１に下方への荷重がかかったとしても、保持枠１が不用意に下降して収容状態となるようなことがなく、電気機器５が安定して保持されるものである。
【００３６】
また取付板６に取り付けられた充電器本体２を上方に引き上げることにより充電器本体２を取付板６から取り外し、この状態で枠部１を充電器本体２に対して下方にスライド移動させて収容状態とすることができる。
【００３７】
また、取付板４を取り付けるためのスライド溝７及び配置凹所２１と、保持枠１のスライドレール１５及びスライド部１２がそれぞれ取り付けられるスライド溝７及び配置凹所２１とが兼用されており、しかも充電器本体２を取付板６に取り付けていない状態において保持枠１を下方にスライドさせて収容状態としておくと、配置凹所２１とスライド溝７の全領域に保持枠１のスライド部１２とスライドレール１５とがそれぞれ配置されて、配置凹所２１とスライド溝７とが隠蔽されることとなり、取付板６に取り付けるためのスライド溝７や配置凹所２１が露出することがなくなって、外観が向上しているものである。
【００３８】
図５に示す実施形態では、図１〜４に示す構成に加えて、取付板６に、取付板６の下端から前方に突出する下面支持部６６を設けたものである。この下面支持部６６は平板状に形成され、取付板６の基部６１の下端から前方に向けて略水平に突出するように形成されている。尚、底板３及び支持板４は図示を省略している。
【００３９】
このように構成される充電器では、図２に示す場合と同様にして、取付板６の基部６１を配置凹所２１内に下方の開口から挿入すると共に、取付板６のスライドレール６２をスライド溝７内に下方の開口から挿入して、充電器本体２を取付板６に取り付けると、下面支持部６６が充電器本体２の下面に沿って配置されて、充電器本体２の下面が下面支持部６６によって支持され、取付板６に対して充電器本体２が更に安定して保持されるものである。また突出状態となった保持枠１は、スライド部１２の下端が取付板６の上端によって更に安定して支えられて、突出状態が更に安定して維持されるものである。
【００４０】
図６に示す実施形態は、充電器本体２の配置凹所２１の外面から充電器本体２の短手方向の外側方に向けて突出する嵌合凸部２６を突設すると共に、取付板６の前面に、充電器本体２を取付板６に取り付けた状態で嵌合凸部２６と嵌合する嵌合凹部６７を凹設したものである。ここで嵌合凸部２６は上面を外側下方に傾斜させて形成されると共に下面が略水平に形成されている。
【００４１】
他の構成は図１〜４に示す実施形態又は図５に示す実施形態と同様であるが、底板３及び支持板４は図示を省略している。
【００４２】
このようにして形成された充電器では、充電器本体２を取付板６に取り付けるにあたり、図２や図５に示す場合と同様にして、取付板６の基部６１を配置凹所２１内に下方の開口から挿入すると共に、取付板６のスライドレール６２をスライド溝７内に下方の開口から挿入する。嵌合凸部２６と嵌合凹部６７との位置が合致するまで取付板６を充電器本体２に対して上方にスライド移動させると、嵌合凸部２６と嵌合凹部６７とが嵌合して嵌合凸部２６の下面が嵌合凹部２６の底面に当接する。このような状態では、嵌合凸部２６と嵌合凹部６７との嵌合により充電器本体２の荷重が支えられ、充電器本体２に対する取付板６の上方へのスライド移動が阻止されて、充電器本体２が取付板６に取り付けられる。このため充電器本体２は取付板６に対して更に安定して取り付けられる。またこのとき突出状態となっている保持枠１のスライド部１２は下端が取付板６の上端によって更に強固に支えられて、突出状態が更に安定して維持されるものである。
【００４３】
また取付板６に取り付けられた充電器本体２を上方に引き上げると、外側下方に傾斜された嵌合凸部２６の傾斜面が嵌合凹部６７の上面を滑ることにより嵌合凸部２６と嵌合凹部６７との嵌合が解除されて、充電器本体２が取付板６から取り外される。
【００４４】
図７に示す実施形態では、保持枠１のスライド部１２の下端部に、外面側と内面側を貫通する嵌合孔１６を設けると共に、この嵌合孔１６よりも下方の部分を嵌合部２２として形成している。また取付板６の上部の前面には、充電器本体２を取付板６に取り付けた状態で嵌合部２２と嵌合する嵌合凹部６８を凹設すると共に、嵌合凹部６８の上方の部分を嵌合孔１６に嵌合する嵌合突部６９として形成する。
【００４５】
他の構成は図１〜４に示す実施形態又は図５に示す実施形態と同様であるが、底板３及び支持板４は図示を省略している。
【００４６】
このようにして形成された充電器では、充電器本体２を取付板６に取り付けるにあたり、図２や図５に示す場合と同様にして、充電器本体２を取付板６に対して下降させ、取付板６の基部６１を配置凹所２１内に下方の開口から挿入すると共に、取付板６のスライドレール６２をスライド溝７内に下方の開口から挿入する。このとき、まず図７（ｂ）に示すように嵌合部２２と嵌合凹部６８とが嵌合すると共に嵌合突部６９と嵌合孔１６とが嵌合し、取付板６に対する保持枠１の移動が阻止される。この状態で更に充電器本体２を下降させて、図７（ａ）に示すように取付板６に対して充電器本体２を取り付ける。このとき取付板６に対する移動が阻止された保持枠１は充電器本体２に対して相対的に上方にスライド移動して突出状態となる。
【００４７】
また、このようにして取付板６に取り付けられた充電器本体２を上方に引き上げて、取付板６から取り外すようにすると、保持枠１は嵌合部２２と嵌合凹部６８との嵌合及び嵌合突部６９と嵌合孔１６との嵌合により取付板６に対する移動が阻止されているので、充電器本体２に対して相対的に下方にスライド移動して、図７（ｂ）に示すように保持枠１が収容状態となる。この状態で更に充電器本体２を上方に引き上げると、嵌合部２２と嵌合凹部６８の嵌合状態及び嵌合突部６９と嵌合孔１６との嵌合状態が解除され、充電器本体２が取付板６から取り外される。
【００４８】
このように構成される充電器では、保持枠１が収容状態にあるときに充電器本体２を取付板６に取り付けると保持枠１が自動的に突出状態となって維持される。更に充電器本体２を取付板６から取り外すと保持枠１は自動的に収容状態となる。従って、充電器本体２を壁面１００に取り付けて電気機器５を充電したり充電後に充電器本体２を壁面１００から取り外したりする際に保持枠１をスライド移動させる操作を別途に行う必要がなく、使い勝手が良いものである。
【００４９】
図８に示す実施形態では、保持枠１の枠部１１に対して、枠部支持部１８を回動自在に取り付けたものである。この枠部支持部１８は、枠部１１の一側部に対して回動軸１９によって連結されており、枠部１１の一側部から一側方に向けて突出すると共に枠部１１の上面と枠部支持部１８の上面とが略面一となった状態と、枠部１１の一側部から下方に向けて略鉛直に突出した状態との間で、回動自在に形成されている。また、保持枠１が収容状態となっているときには、図８（ａ）に示すように、枠部支持部１８は枠部１１の一側部から一側方に向けて突出すると共に、枠部１１と共に充電器本体２の上面に配置され、更に枠部１１、枠部支持部１８及び充電器本体２の外面が略面一となるように配置されるように形成する。
【００５０】
他の構成は図１〜４に示す実施形態又は図５に示す実施形態と同様である。
【００５１】
このように構成される充電器では、収容状態にある保持枠１を上方にスライド移動させて突出状態とすると、図８（ｂ）に示すように、枠部１１はその自重により枠部１１に対して回動して、枠部１１の一側部から下方に突出した状態となり、このとき下方に配置された枠部１１の端部は充電器本体２の上面に当接する。このため保持枠１の下方へのスライド移動が枠部支持部１８によって阻止され、保持枠１の突出状態が更に安定に維持される。
【００５２】
このような突出状態にある保持枠１を収容状態とするにあたっては、枠部支持部１８を回動させて枠部１１の一側部から下方に向けて略鉛直に突出した状態とし、この状態で保持枠１を下方にスライド移動させるものである。
【００５３】
図９に示す実施形態は、図８に示す実施形態において、充電器本体２に、枠部支持部１８を保護するための保護部２７が設けられている。保護部２７は、充電器本体２の上面に上方に突出するように形成されている。また保持枠１が収容状態にあるときには、枠部支持部１８の、枠部１１とは反対側の側方に保護部２７が配置されると共に、枠部１１、枠部支持部１８及び保護部２７の外面が略面一になるように配置される。
【００５４】
このように構成される充電器では、保持枠１を収容状態としているときに、枠部支持部１８の、枠部１１とは反対側の端部に直接衝撃が加わることが、保護部２７によって防止されており、枠部１１に対して回動軸１７のみにて連結されている枠部支持部１８に直接衝撃が加わって枠部１１との連結部分が破損することが防止されているものである。
【００５５】
上記のような各実施形態においては、図１０〜１２に示すように、保持枠１に鏡１０１を取り付けることができる。
【００５６】
図１０に示す実施形態は、保持枠１に対して、鏡１０１が、スライド部１２の外面に沿って配置された状態と、スライド部１２の上方に突出した状態との間で回動自在となるように設けられている。ここで、枠部１１のスライド部１２側の端部から外側方に向けて突出する連結凸部１０３と、鏡１０１の端部から突出する一対の連結凸部１０４とを、連結凸部１０４の間に連結凸部１０３が配置されるように噛み合わせた状態で、連結凸部１０３及び連結凸部１０４に回動軸１０２が挿通されており、これにより鏡１０１が保持枠１に対して回動自在に取り付けられている。この鏡１０１には、スライド部１２の上方に突出した状態における、枠部１１側の面に鏡面１０５が形成されている。
【００５７】
このように構成される充電器では、鏡１０１を回動させて、スライド部１２の外面に沿って配置された状態からスライド部１２の上方に突出した状態とすることにより鏡１０１を使用することができ、電気かみそり等のような鏡１０１と共に使用する電気機器５を用いる場合、電気機器５と充電器とを携帯するなどするときに、別途に鏡を携帯する必要がないものである。
【００５８】
図１１に示す実施形態では、保持枠１に対して鏡を、スライド部１２に収容された状態と、スライド部１２から上方に突出した状態との間でスライド自在に設けられている。スライド部１２の基部１４には、外面側に、その外面側及び上下方向に開口する鏡収容凹所１０７が形成されており、この鏡収容凹所１０７の両内側面には、内側方及び上下方向に開口するスライド溝１０８が形成されている。一方、鏡１０１は鏡収容凹所１０７と合致する形状に形成されており、またスライド溝１０８と合致する形状のスライドレール１０６が鏡１０１の両側面から外側方に向けて突出するように形成されている。ここで、鏡１０１を鏡配置凹所１０７に上方の開口から挿入すると共にスライドレール１０６をスライド溝１０８に上方の開口から挿入するようにして、鏡１０１が保持枠１対して取り付けられている。鏡１０１をスライド部１２に収容した状態では鏡１０１の外面は保持枠１の外面と略面一となるように形成されており、この状態から鏡１０１を上方にスライドすることにより、スライド部１２の上方に鏡１０１が突出するものである。また鏡面１０５は鏡１０１がスライド部１２の上方に突出した状態において、枠部１１が配置されている側の面に形成されており、鏡１０１をスライド部１２に収容した状態では鏡面１０５は鏡収容部１０７内に配置されて外部に露出しないようになっている。
【００５９】
このように構成される充電器では、鏡１０１をスライドさせて、スライド部１２に収容された状態からスライド部１２よりも上方に突出した状態として、鏡１０１を使用することができるものであり、図１１に示す場合と同様に、電気かみそり等のような鏡１０１と共に使用する電気機器５を用いる場合、電気機器５と充電器とを携帯するなどするときに、別途に鏡を携帯する必要がないものである。また鏡１０１は収容時にはスライド部１２に収容されるために、鏡１０１を充電器に対して嵩張らずにコンパクトに収容することができ、携帯時や収納時の利便性が高いものである。
【００６０】
図１２に示す実施形態では、保持枠１に対して、鏡１０１が、枠部１１の保持部１３内に収容された状態と、枠部１１から上方に突出した状態との間で回動自在となるように設けられている。ここで、保持部１３の内周面からスライド部１２側に向けて凹設された連結凹部１１０と、鏡１０１の端部から突出する連結凸部１０９とを、連結凹部１１０内に連結凸部１０９が配置されるように噛み合わせた状態で、連結凹部１１０及び連結凸部１０９に回動軸１１１が挿通されており、これにより鏡１０１が保持枠１に対して回動自在に取り付けられている。鏡１０１を保持部１３内に収容した状態では鏡１０１の外面は保持枠１の枠部１１の外面と略面一となるように形成されており、この状態から鏡１０１を上方に回動させることにより、枠部１１の上方に鏡１０１が突出するものである。また鏡面１０５は鏡１０１が枠部１１の上方に突出した状態において、スライド部１２が配置されている側とは反対側の面に形成されており、鏡１０１を保持部１３内に収容した状態では鏡面１０５は下方に向けて配置され、この状態で保持枠１を収容状態とすれば充電器本体２の上面に沿って配置されることとなって、外部に露出されなくなる。
【００６１】
このように構成される充電器では、図１０，１１に示す場合と同様に、電気かみそり等のような鏡１０１と共に使用する電気機器５を用いる場合、電気機器５と充電器とを携帯するなどするときに、別途に鏡を携帯する必要がないものである。また鏡１０１は収容時には保持部１３内に収容さるために、鏡１０１を充電器に対して嵩張らずにコンパクトに収容することができ、携帯時や収納時の利便性が高いものである。
【００６２】
図１３に示す実施形態は、上記の各実施形態において、充電器本体２の上面に、電気機器５の底部に形成された凹部５１に嵌合する凸部２４を形成したものである。ここで、図中では電気機器５として電気かみそりを示している。図示の例では、電器機器５の底部に下方に開口するように形成された凹部５１は螺子等の固着具５２の隠蔽用のボス孔にて構成されている。また凸部２４は、図示のように保持枠１を突出状態とすると共にこの保持枠１の保持部１３に電気機器５を挿通させ、電気機器５の底面を充電器本体２の上面に載置して充電可能な状態としたときに、電気機器５の凹部５１と合致する位置に形成されており、凹部５１の内径と略同一又はやや小さい外径を有し、凹部５１の深さと略同一又はやや小さい突出寸法を有している。
【００６３】
このように構成された充電器では、電気機器５を充電するために、保持枠１を突出状態とした充電器にて電気機器５を保持した場合に、凸部２４と凹部５１との嵌合により電気機器５を更に安定に保持することができるものである。
【００６４】
【発明の効果】
本発明の請求項１に係る充電器は、側面に上下方向に開口する上下方向のスライド溝が形成された、上方に保持された電気機器に電力を供給して充電する充電器本体と、充電器本体のスライド溝に上下方向にスライド自在に取り付けられるスライド部及び充電器本体の上方に配置される枠部を有する保持枠と、壁面に取り付けられると共に充電器本体のスライド溝に合致するスライドレールが設けられた取付板とを具備するため、取付板のスライドレールをスライド溝内に下方の開口から挿入して取付板に対して充電器本体を取り付けることにより充電器本体を壁面に取り付けることができ、このとき取付動作において、取付板は充電器本体に対して上方にスライド移動しながら、その上端によってスライド部の下端を上方に押圧し、保持枠が充電器本体に対して上方にスライド移動するものであり、この状態で充電器を安定して保持して、電器機器の充電を行うことができるものである。また、取付板を取り付けるためのスライドレールと保持枠のスライドレールが取り付けられているスライドレールとが兼用されており、しかも充電器本体を取付板に取り付けていない状態において保持枠を下方にスライドさせておくとスライドレールが保持枠のスライド部及びスライド溝によって隠蔽されることとなり、取付板に取り付けるためのスライドレールが露出することがなくなって、外観が向上するものである。
【００６５】
また請求項２の発明は、請求項１の構成に加えて、取付板のスライドレールが充電器本体のスライド溝内に圧入されることにより取付板に対して充電器本体が保持されるため、充電器本体が取付板に強固に保持されて、壁面に対して更に安定して取り付けられるものである。また充電器本体に対する取付板のスライド移動が阻止されているので、この取付板によって保持枠のスライド移動が阻止され、電気機器の底部を充電器本体の上面で支持すると共に電気機器の側面を保持枠の枠部で支持して電気機器の充電を行うにあたって電気機器から下方への荷重が枠部にかかっても保持枠の下方へのスライド移動が防止され、電気機器を安定して保持することができるものである。
【００６６】
また請求項３の発明は、請求項１又は２の構成に加えて、充電器本体の底部に充電器本体の側面よりも外方に突出した突出状態と充電器本体の内側に収容された収容状態の間で突出・収容自在に形成された支持板を設けると共に、保持枠を下方にスライド移動させた状態でスライド部の下端が収容状態にある支持板の側方に配置されるように形成するため、保持枠を上方にスライドさせて電気機器を保持すると共に支持板を突出状態として、充電器を保持することにより重心が上方に移行した充電器を安定して支持し、この状態で電器機器の充電を行うことができるものであり、また保持枠を下方にスライドさせると共に支持板を収容状態とすることで保持枠及び支持板を充電器本体に対してコンパクトに収容し、充電器の携帯や収納時の利便性が高いものである。また、保持枠を下方にスライド移動させて収容した状態で、保持枠のスライド部にて収容状態にある支持板が突出することを阻止し、支持枠が不用意に充電器本体から突出することを防止することができるものである。
【００６７】
また請求項４の発明は、請求項１乃至３のいずれかの構成に加えて、取付板に、充電器本体の下面を支持する下面支持部を形成したため、充電器を取付板に対して取り付けた状態で、充電器の下面を下面支持部にて支持することができ、充電器本体が取付板に強固に保持されて、壁面に対して更に安定して取り付けられるものである。また充電器本体に対する取付板のスライド移動が阻止されることとなって、この取付板によって保持枠のスライド移動が阻止され、電気機器の底部を充電器本体の上面で支持すると共に電気機器の側面を保持枠の枠部で支持して電気機器の充電を行うにあたって電気機器から下方の荷重が枠部にかかっても保持枠の下方へのスライド移動が防止され、電気機器を安定して保持することができるものである。
【００６８】
また請求項５の発明は、請求項１乃至４のいずれかの構成に加えて、取付板のスライドレールを充電器本体のスライド溝に挿入した状態で嵌合する嵌合構造を取付板と充電器本体との間に形成するため、充電器本体を取付板に取り付けた状態で、嵌合構造における嵌合により充電器本体の荷重が支えられ、充電器本体に対する取付板の上方へのスライド移動が阻止されて、充電器本体が取付板に対して更に安定して取り付けられるものである。また充電器本体に対する取付板のスライド移動が阻止されることとなって、この取付板によって保持枠のスライド移動が阻止され、電気機器の底部を充電器本体の上面で支持すると共に電気機器の側面を保持枠の枠部で支持して電気機器の充電を行うにあたって電気機器から下方の荷重が枠部にかかっても保持枠の下方へのスライド移動が防止され、電気機器を安定して保持することができるものである。
【００６９】
また請求項６の発明は、請求項１乃至５のいずれかの構成に加えて、取付板のスライドレールを充電器本体のスライド溝に挿入した状態で嵌合する嵌合構造を取付板とスライド部との間に形成するため、充電器本体を取付板に取り付けた状態で保持枠が取付板に対して固定されることとなり、充電器本体を取付板から取り外すために取付板に対して上方に引き上げた場合に自動的に保持板が下方にスライド移動した後、充電器本体が取付板から完全に取り外されることとなって、別途に保持枠をスライド移動させる操作を行う必要がなく、使い勝手が良いものである。
【００７０】
また請求項７の発明は、請求項１乃至６のいずれかの構成に加えて、保持枠が充電器本体に対して上方にスライド移動した状態において枠部を充電器本体上面に対して支持する枠部支持部を枠部に設けたため、電気機器の底部を充電器本体の上面で支持すると共に電気機器の側面を保持枠の枠部で支持して電気機器の充電を行うにあたって電気機器から下方の荷重が枠部にかかっても保持枠の下方へのスライド移動が防止され、電気機器を安定して保持することができるものである。
【００７１】
また請求項８の発明は、請求項７の構成に加えて、保持枠が充電器本体に対して下方にスライド移動した状態において枠部支持部を保護する保護部を設けるため、保護部によって枠部支持部に外部から直接衝撃が加わることが防止され、枠部支持部が破損することを防止することができるものである。
【００７２】
また請求項９の発明は、請求項１乃至８のいずれかの構成に加えて、保持枠に対して鏡を回動自在に設けたため、鏡を別途に携帯する必要がないものである。
【００７３】
また請求項１０の発明は、請求項１乃至８のいずれかの構成に加えて、スライド部に鏡を上下スライド移動自在に設けたため、鏡を別途に携帯する必要がないものであり、しかも鏡をスライド部に嵩張らずコンパクトに収納することができ、携帯時や収納時の利便性が高いものである。
【００７４】
また請求項１１の構成は、請求項１乃至８のいずれかの構成に加えて、保持枠の枠部に電気機器が挿通されることにより電気機器を支持する保持部を開口させて設けると共に、枠部に、保持部内に配置された状態と枠部に対して上方に配置されると共に鏡面が前方に配置される状態との間で回動自在に形成される鏡を設けたため、鏡を別途に携帯する必要がないものであり、しかも鏡を枠部の保持部内に嵩張らずコンパクトに収納することができ、携帯時や収納時の利便性が高いものである。
【００７５】
また請求項１２の発明は、請求項１乃至１１のいずれかの構成に加えて、充電器本体の上面に、電気機器の底部に形成された凹部に嵌合する凸部を形成するため、電気機器を充電するために充電器にて電気機器を保持した場合に、凸部と凹部との嵌合により電気機器を更に安定に保持することができるものである。
【図面の簡単な説明】
【図１】本発明の実施の形態の一例を示す分解斜視図である。
【図２】（ａ）（ｂ）は同上の使用様態を示す斜視図である。
【図３】同上の他の使用様態を示す斜視図である。
【図４】同上の実施の形態を示す斜視図である。
【図５】（ａ）（ｂ）は本発明の実施の形態の他例を示す斜視図である。
【図６】本発明の実施の形態の更に他例を示す断面図である。
【図７】（ａ）（ｂ）は本発明の実施の形態の更に他例を示す断面図である。
【図８】（ａ）（ｂ）は本発明の実施の形態の更に他例を示す斜視図である。
【図９】本発明の実施の形態の更に他例を示す斜視図である。
【図１０】（ａ）（ｂ）は本発明の実施の形態の更に他例を示す一部の斜視図である。
【図１１】（ａ）（ｂ）は本発明の実施の形態の更に他例を示す一部の斜視図である。
【図１２】本発明の実施の形態の更に他例を示す一部の斜視図である。
【図１３】本発明の実施の形態の更に他例を示すものであり、（ａ）は正面図、（ｂ）は（ａ）の一部の断面図である。
【符号の説明】
１  保持枠
２  充電器本体
４  支持板
５  電気機器
６  取付板
７  スライド溝
１１  枠部
１２  スライド部
１３  保持部
１８  枠部支持部
２４  凸部
２７  保護部
５１  凹部
６２  スライドレール
６６  下面支持部
１００  壁面
１０１  鏡
１０５  鏡面
【図１】
0003678121.tif 000002
【図２】
0003678121.tif 000003
【図３】
0003678121.tif 000004
【図４】
0003678121.tif 000005
【図５】
0003678121.tif 000006
【図６】
0003678121.tif 000007
【図７】
0003678121.tif 000008
【図８】
0003678121.tif 000009
【図９】
0003678121.tif 000010
【図１０】
0003678121.tif 000011
【図１１】
0003678121.tif 000012
【図１２】
0003678121.tif 000013
【図１３】
0003678121.tif 000014